(57)【要約】【課題】  薄型化に適し、且つピンホールを用いなくともクロストークの発生を抑えることができ、しかも塵埃の侵入を抑えたホログラム装置を提供する。【解決手段】  再生光Ｌｐの光路上に反射ミラー４２を設け、再生光Ｌｐの向きを光記録媒体Ｍと平行となる方向に向け、その後に受光部材４３が受光する。受光部材４３を厚み（Ｚ）方向に設ける必要がないため、光路長が延びたとしてもホログラム装置の薄型化が可能となる。また微小面積の反射ミラー４２を用いることにより、ピンホールなしでもクロストークの発生を抑制が可能となる。さらに受光装置４０をハウジング４４内に収納し、再生光Ｌｐは透明カバー４６を介して前記ハウジング４４内に入射するようにしたため、塵埃の侵入を防止することが可能となる。【選択図】図２
2007145186.tif 000002
【特許請求の範囲】
【請求項１】
光記録媒体に参照光を与える発光部と、前記参照光を平行な光に変換するレンズと、前記参照光を受けた光記録媒体から出力される再生光を受光して電気信号に変換する受光装置と、を備えたホログラム装置であって、
前記光記録媒体から出力される再生光の光軸を第１の光軸とし、前記第１の光軸と交叉する光軸を第２の光軸としたときに、
前記受光装置は、前記第１の光軸と第２の光軸の交差する位置に配置され、前記再生光の光軸を前記第１の光軸から前記第２の光軸に向ける反射ミラーと、
前記第２の光軸上に設けられており且つ受光面の向きが前記第２の光軸上に対し垂直に設置された受光部材とを有することを特徴とするホログラム装置。
【請求項２】
前記第１の光軸と前記第２の光軸とが垂直である請求項１記載のホログラム装置。
【請求項３】
前記再生光は、その直径が前記光記録媒体から遠ざかるにしたがって徐々に細められ、前記直径が最も細くなるビームウエストを過ぎると徐々に拡大されるものであり、
前記反射ミラーは、その反射面積が前記ビームウエストと同じ面積またはそれよりもわずかに大きな面積からなる請求項１または２記載のホログラム装置。
【請求項４】
前記再生光は、その直径が前記光記録媒体から遠ざかるにしたがって徐々に細められ、前記直径が最も細くなるビームウエストを過ぎると徐々に拡大されるものであり、
前記反射ミラーは、前記ビームウエストとなる位置又はその近傍に設けられている請求項１または２記載のホログラム装置。
【請求項５】
前記反射ミラーが、非反射面の上に設けられている請求項３記載のホログラム装置。
【請求項６】
非反射面は、光を吸収して反射を抑える光吸収部材または光を透過させて反射を抑える光透過部材である請求項５記載のホログラム装置。
【請求項７】
前記反射ミラーを備えた非反射面と前記受光部材とが１つのハウジングの中に収納されている請求項５または６に記載のホログラム装置。
【請求項８】
前記ハウジングには、前記光記録媒体から出力された再生光を前記反射ミラーへと導く開口窓が形成されており、この開口窓には光を透過させるカバーが設けられている請求項６記載のホログラム装置。
【請求項９】
前記反射ミラーは、その傾き角度を自在に調整するミラーアクチュエータ上に設けられている請求項３または４に記載のホログラム装置。
【請求項１０】
前記反射ミラーが受光素子上に設けられ、前記受光素子が傾斜角度を可変することが可能なアクチュエータに支持されており、前記受光素子から出力される再生光の情報信号に基づいて前記アクチュエータが駆動される請求項３または４に記載のホログラム装置。
【発明の詳細な説明】
【技術分野】
【０００１】
本発明は、光記録媒体に多重に記録されたホログラムの読み出しを行うホログラム装置に係わり、特にピンホールなしにクロストークを抑えることができるとともに薄型化に適したホログラム装置に関する。
【背景技術】
【０００２】
ホログラム装置においては、再生時に所望のホログラムからの再生光のみを取得し、その他のホログラムからの再生光を遮断することにより、いわゆるクロストークの発生を抑える技術が必要とされる。【０００３】
特許文献１には、このような技術として、ピンホールフィルタを備えたホログラム装置が記載されている。
【特許文献１】特開２００６−５８７２６号公報
【発明の開示】
【発明が解決しようとする課題】
【０００４】
しかし、上記ピンホールフィルタを備えたホログラム装置では、レンズの開口数ＮＡは記録時と再生時とで同じにする必要があり、またホログラム１ページ当りの記憶容量は、書き込み時におけるレンズの開口数ＮＡに依存する。このため、書き込み時に大きな開口数ＮＡのレンズを用いることにより、ホログラム１ページ当りの記憶容量を大きくすると、再生時にも高い開口数ＮＡを有するレンズが必要となる。【０００５】
しかし、開口数ＮＡの大きなレンズは球面収差が大きいため、高精度な非球面レンズとすることが必要となるが、このようなレンズをコンパクトに形成することは難しい。【０００６】
また、高開口数ＮＡのレンズは焦点距離が短いため、光記録媒体とこれに対向するピンホールまでの距離が短くなりやすい。例えば、従来は、ピンホールと光記録媒体との間隔は約１００μｍと狭い構成であった。このため、静電気がこの間に発生すると塵埃が溜まりやすく、最悪の場合には前記ピンホールを塞いでしまうおそれがある。【０００７】
さらに、光記録媒体側に反りなどの変形が生じると、受光部材を搭載したピックアップを移動させる際に、ピンホールが光記録媒体に衝突し、ピンホールや光記録媒体に傷や変形を生じさせるという危険性がある。【０００８】
一方、開口数ＮＡが小さなレンズでは焦点距離が延びるため、ピックアップが光記録媒体の厚さ方向に大きくなる。このため、ホログラム装置の薄型化がしにくくなるという問題があった。【０００９】
本発明は上記従来の課題を解決するためのものであり、開口数ＮＡの小さなレンズを用いた場合でも薄型化に適したホログラム装置を提供することを目的としている。【００１０】
また本発明は、ピンホールを用いなくともクロストークの発生を抑えることができるようにしたホログラム装置を提供することを目的としている。【００１１】
さらに本発明は、塵埃の侵入を抑えるとともに光記録媒体とピックアップとの衝突が起こり難くしたホログラム装置を提供することを目的としている。
【課題を解決するための手段】
【００１２】
本発明は、光記録媒体に参照光を与える発光部と、前記参照光を平行な光に変換するレンズと、前記参照光を受けた光記録媒体から出力される再生光を受光して電気信号に変換する受光装置と、を備えたホログラム装置であって、
前記光記録媒体から出力される再生光の光軸を第１の光軸とし、前記第１の光軸と交叉する光軸を第２の光軸としたときに、
前記受光装置は、前記再生光の光軸を前記第１の光軸から前記第２の光軸に向ける反射ミラーと、前記第２の光軸上に設けられており且つ受光面の向きが前記第２の光軸上に対し垂直に設置された受光部材とを有することを特徴とするものである。
具体的には、前記第１の光軸と前記第２の光軸とが垂直であるものが好ましい。【００１３】
本発明では、受光部材を厚み方向に重ねて設ける構成ではなく、これと直交する幅方向に設けた構成としたため、ホログラム装置を薄型化することができる。【００１４】
上記において、前記再生光は、その直径が前記光記録媒体から遠ざかるにしたがって徐々に細められ、前記直径が最も細くなるビームウエストを過ぎると徐々に拡大されるものであり、
前記反射ミラーは、その反射面積が前記ビームウエストと同じ面積またはそれよりもわずかに大きな面積からなるとともに前記ビームウエストとなる位置又はその近傍に設けられているものが好ましい。【００１５】
上記手段では、ピンホールフィルタを用いなくとも任意の再生光のみを選択し、受光部材に向けて出力することができる。【００１６】
前記反射ミラーが、非反射面の上に設けられているものが好ましく、例えば非反射面は、光を吸収して反射を抑える光吸収部材または光を透過させて反射を抑える光透過部材である。【００１７】
上記手段では、再生光が前記反射ミラー以外の部分で反射するのを防止できるため、不用な再生光が前記受光部材に届くことを遮断できる。このため、いわゆるクロストークの発生を抑えることができる。【００１８】
また前記反射ミラーを備えた非反射面と前記受光部材とが１つのハウジングの中に収納されているものが好ましい。【００１９】
上記手段では、ハウジング内への塵埃の侵入を防止できる。
この場合、前記ハウジングには、前記光記録媒体から出力された再生光を前記反射ミラーへと導く開口窓が形成されており、この開口窓には光を透過させるカバーが設けられている。【００２０】
上記手段では、ハウジング内への塵埃の侵入を防止しつつ、再生光の入射についてはこれを許容することができる。【００２１】
上記において、前記反射ミラーの傾き角度を自在に調整するミラーアクチュエータが設けられているものが好ましい。【００２２】
上記手段では、参照光を任意の記録位置に向けることが可能となる。また角度多重方式で記録されたホログラムの再生も可能となる。【００２３】
さらに、前記反射ミラーが受光素子に設けられ、前記受光素子が傾斜角度を可変することが可能なアクチュエータに支持されており、前記受光素子から出力される信号に基づいて前記アクチュエータが駆動される構成とすることもできる。【００２４】
この場合には、複数の再生光の中から受光装置側で必要とする再生光のみを選択して受光することができる。
【発明の効果】
【００２５】
本発明では、ピンホールフィルタを用いなくともクロストークの発生を抑えることができるようにしたホログラム装置を提供することが可能となる。【００２６】
また開口数ＮＡの小さなレンズを用いた場合でも、ホログラム装置を薄型化することができる。【００２７】
また受光装置を１つのハウジング内に収納し、再生光が入射する開口窓に透明カバーを取り付けたため、ハウジング内への塵埃の侵入を防止できる。
【発明を実施するための最良の形態】
【００２８】
本発明の実施の形態について図面を参照しつつ説明する。
図１は本発明のホログラム装置を構成するピックアップを示す分解斜視図、図２は受光装置の構成を概念的に示す概略構成図、図３は光記録媒体に対する参照光と再生光との関係を示す概念図である。【００２９】
図１に示すように、ホログラム装置は光記録媒体に記録されている情報（データ）を読み取るピックアップ１０を有している。【００３０】
以下の実施の形態で説明する光記録媒体Ｍは、いわゆる反射型の光記録媒体であり、干渉縞を記録することが可能な記録層の下部に反射層を有する構成であるが、反射層を有しない透過型の光記録媒体であってもよい。なお、前記記録層内には多数のデータ情報を示すホログラムが、干渉縞（市松模様状の２次元的なドットパターン）として記録角度を変えた状態で多重に記録される。【００３１】
前記ピックアップ１０は図示しない駆動機構により、平面２軸方向（図１のＸ方向及びＹ方向）に移動自在に設けられた可動ベース１１を有している。前記可動ベース１１は、光記録媒体Ｍに対向する状態で前記Ｘ方向及びＹ方向に移動できるようになっている。【００３２】
前記可動ベース１１には、参照光を生成する発光装置２０と、参照光の向きを所定の方向に変えるミラーアクチュエータ３０と、光記録媒体Ｍから出力される再生光を受光してホログラムを読み取る受光装置４０とが搭載されている。【００３３】
前記発光装置２０は、例えば垂直共振器面発光レーザ（以下、「ＶＣＳＥＬ（Vertical Cavity Surface Emitting Laser）という」などからなり、参照光を生成する光源と前記光源から出力された参照光を拡大するビームエクスパンダなどからなる発光部２１と、拡大された参照光を平行な光に変換するコリメートレンズ２３などを有している。本実施の形態に示すコリメートレンズ２３はその開口数ＮＡが小さい。このため、コリメートレンズ２３では、球面収差の発生を低く抑えられている。前記発光部２１およびコリメートレンズ２３は一体的に組み付けられている。前記発光装置２０で生成された参照光は、次に説明するミラーアクチュエータ３０に向けて出力される。【００３４】
ミラーアクチュエータ３０は、入射した前記参照光を反射するミラー３１と、このミラー３１の傾き角度を所定の範囲内で可変する駆動部３２とを有している。前記駆動部３２は、例えば磁気駆動機構や静電駆動機構など公知の駆動機構で構成することが可能である。前記駆動部３２には前記ミラー３１が揺動自在に支持されている。前記駆動部３２を制御することにより、ミラー３１の傾き角度を自在に調整できるようになっている。【００３５】
図１に示すように、前記可動ベース１１には、図示Ｚ方向に貫通する開口部１２が設けられている。前記ミラーアクチュエータ３０は前記開口部１２の縁部に固定されている。前記ミラー３１で反射された参照光は、前記開口部１２を通じて可動ベース１１の下部（Ｚ２）側に位置する光記録媒体Ｍに向けて出力される。【００３６】
前記受光装置４０も前記開口部１２の近傍に設けられている。図２に示すように前記受光装置４０は、ステージ４１の中央部に固定された反射ミラー４２と、受光部材４３とを有しており、これらはハウジング４４内に収納されている。【００３７】
前記ハウジング４４は、幅方向（図２ではＸ方向）の寸法が厚み方向（Ｚ方向）の寸法よりも長い箱型の部材である。【００３８】
前記ハウジング４４には開口窓４５が設けられている。前記開口窓４５は、前記光記録媒体Ｍと対向するハウジング４４の下面４４ａで、且つ前記幅方向の一方（図２ではＸ１方向）の位置に設けられている。そして、この開口窓４５には光を透過させる透明カバー４６が固定されている。このため、前記ハウジング４４は密閉された状態にあり、ハウジング４４内への塵埃の侵入が防止されている。【００３９】
なお、透明カバー４６はハウジング４４の内部に固定されており、ハウジング４４の外部に突出しない構成である。このため、透明カバー４６と光記録媒体Ｍとの衝突を避けることが可能とされている。【００４０】
前記受光部材４３は、例えばＣＭＯＳセンサやＣＣＤなどの撮像手段で構成されている。前記受光部材４３は、前記開口窓４５を有する下面４４ａに対し垂直となり、且つ前記幅方向の他方（図２ではＸ２方向）の側面４４ｂに固定されている。すなわち、前記受光部材４３の受光面４３ａは前記Ｘ１方向を向いた状態で前記側面４４ｂに固定されており、前記光記録媒体Ｍの表面Ｍ１に対し垂直な関係にある。【００４１】
前記ステージ４１は、ハウジング４４内の透明カバー４６と前記受光部材４３の双方に対向する位置に設けられている。より詳しくは、前記ハウジング４４の前記下面４４ａに対向する上面４４ｃと、前記側面４４ｂに対向する側面４４ｄとで形成されるハウジング４４内の隅部に三角形状の台座４７が設けられており、前記ステージ４１は、この台座４７の斜面上に傾斜する姿勢で固定されている。【００４２】
前記ステージ４１は、光吸収部材（例えば、ステージ４１の表面を黒塗りにする）や、光を透過させる光透過部材などからなる非反射面として形成されている。前記反射ミラー４２は、この前記ステージ４１のほぼ中央に固定されている。【００４３】
反射ミラー４２を有しない場合、図３の点線に示すように、前記光記録媒体Ｍから出力される再生光Ｌｐは、光位相共役の影響により、その直径が前記光記録媒体Ｍから徐々に遠ざかるＺ１方向に向かうにしたがって徐々に細められ、前記直径が最も細くなるビームウエストＢＷを過ぎると徐々に拡大するという特質を有する。【００４４】
本願においては、前記反射ミラー４２は前記ビームウエストＢＷとなる位置又はその近傍に、傾斜角度が４５度となるように固定されている。また前記反射ミラー４２は微小な面積で形成されている。すなわち、前記反射ミラー４２は、前記ビームウエストＢＷの直径と同じ面積またはそれよりもわずかに大きな面積で形成されている。前記反射ミラー４２の大きさ及び形状は、例えば直径２５０μｍ程度の円形、または一辺が２５０μｍ程度の正方形などであるが、これらに限定されるものではない。【００４５】
ここで、図３に示すように、前記ビームウエストＢＷの中心を通り前記光記録媒体Ｍに対し垂直に延びる仮想線を第１の光軸Ｄ１とする。また、同じく前記第1の光軸Ｄ１と前記反射ミラー４２との交点を通り、かつ前記第１の光軸Ｄ１に対し垂直に交叉する（前記光記録媒体Ｍに対し平行に延びる）仮想線を第２の光軸Ｄ２とする。前記受光部材４３は、第２の光軸Ｄ２上に、前記受光面４３ａを前記第２の光軸Ｄ２に対し垂直に向けた状態で前記ハウジング４４の側面４４ｂに固定されている。【００４６】
このように、本願発明においては前記受光部材４３の配置を、前記第１の光軸Ｄ１に対し垂直となる位置ではなく、前記光記録媒体Ｍの表面（すなわち、第２の光軸Ｄ２）に対し垂直となる位置に設けた構成である。このため、前記ビームウエストＢＷと前記受光部材４３との間の光路長Ｗを、光記録媒体Ｍの厚み方向ではなく、光記録媒体Ｍに対し平行となる方向に設けることができる。よって、ピックアップ１０が、厚み方向（Ｚ方向）に厚くなることを防止できる。【００４７】
特に、前記光記録媒体Ｍから出力される再生光Ｌｐは前記ビームウエストＢＷを過ぎてから徐々に拡大される光であるため、前記受光部材４３における受光面積を限界まで大きくするには、前記光路長Ｗを可能な限り離すことが有効である。しかも、上記のように低い開口数ＮＡのコリメートレンズ２３を用いた場合には、開口数ＮＡの大きなレンズに比較して焦点距離が延びる。このため、従来において前記光路長Ｗを長めに確保するには、ピックアップ１０の厚み寸法を厚くする必要があった。【００４８】
しかし、本願では、上記のように前記光路長Ｗを厚み方向（Ｚ方向）ではなく、厚み方向と直交する幅方向（Ｘ方向）に形成される構成としたため、ピックアップ１０の厚み方向の寸法が厚くなることをより効果的に防止できる。【００４９】
また本実施の形態では、開口数ＮＡが小さいレンズを使用するため、光記録媒体ＭからビームウエストＢＷまでの距離も延びることになる。このため、光記録媒体Ｍと前記ハウジング４４の下面４４ａとの間隔を従来よりも長めに設定する必要が生じる。よって、前記ピックアップ１０を構成する前記ハウジング４４の位置を、従来よりも光記録媒体Ｍから遠い位置に配置することとなる。この場合の前記間隔は、およそ２００μｍ程度となるが、従来の開口数ＮＡの大きいレンズを使用した場合の間隔（１００μｍ程度）と比較して十分大きい。このため、前記ピックアップ１０、特にハウジング４４の下面４４ａと前記光記録媒体Ｍとの衝突が起きにくくなる。なお前記間隔（２００μｍ）は、ホログラム装置全体のサイズから見れば極めて小さく、装置全体の高さ寸法に与える影響は殆ど無視できる程度である。【００５０】
以下、ホログラム装置について説明する。
前記可動ベース１１は、前記平面２軸方向（Ｘ方向およびＹ方向）に移動するときには、前記透明カバー４６は光記録媒体Ｍの表面に対し対向する状態で移動する。【００５１】
次に、前記可動ベース１１が任意の記録位置（ブック）で停止し、参照光Ｌｒが前記発光装置２０からミラーアクチュエータ３０に向けて出力される。前記参照光Ｌｒはミラーアクチュエータ３０のミラー３１において反射して、前記光記録媒体Ｍに照射される。【００５２】
このとき、前記ミラーアクチュエータ３０は、前記ミラー３１によって反射させられた前記参照光Ｌｒを前記光記録媒体Ｍ上の任意の記録位置（ブック）を所定の角度で照射することができるように角度が調整される。【００５３】
前記光記録媒体Ｍに照射された前記参照光Ｌｒは、前記光記録媒体Ｍを通り、光記録媒体の底部側に設けられた反射層Ｍ２において再度反射して、光記録媒体Ｍの外部に再生光Ｌｐとして出力される。【００５４】
前記再生光Ｌｐは受光装置４０内に入射し、前記反射ミラー４２によって９０度曲げられ前記受光部材４３で受光される。前記再生光Ｌｐは、前記反射ミラー４２の位置にビームウエストＢＷを有し、前記反射ミラー４２を通り過ぎると徐々に拡大する光である。しかも、前記反射ミラー４２と受光部材４３間の光路は幅（Ｘ）方向に延びているため、その光路長Ｗが十分に確保されている。よって、前記受光部材４３は、十分に拡大された状態の再生光Ｌｐを受光することが可能となる。【００５５】
なお、前記透明カバー４６は、前記光記録媒体Ｍと前記ビームウエストＢＷとの中間に設けられている。このため、前記再生光Ｌｐは前記ビームウエストＢＷよりも広い直径をなす部分が前記透明カバー４６を透過することになる。よって、前記透明カバー４６が再生光Ｌｐの収差に与える影響を小さくすることができる。【００５６】
また参照光Ｌｒは、光記録媒体Ｍ上の任意の記録位置（ブック）だけではなく、これに隣接する複数の記録位置（ブック）に同時に照射される場合がある。例えば、図２に示すように，前記任意の記録位置（ブック）による所望の再生光Ｌｐ１と、これに隣接する記録位置（ブック）による他の再生光Ｌｐ２とが同時に出力されることがある。そして、前記受光部材４３が同時に２以上の再生光Ｌｐを受光すると、いわゆるクロストークが発生する。【００５７】
しかし、本願発明では、前記反射ミラー４２が前記ビームウェストＢＷとほぼ同一の微小な面積で形成されているため、前記反射ミラー４２は入射される再生光Ｌｐ１またはＬｐ２のどちらか一方しか反射しない。このため、前記反射ミラー４２によって反射する再生光は、いずれか一の再生光Ｌｐ、すなわち前記任意の記録位置（ブック）による所望の再生光（図２では再生光Ｌｐ１）に制限されるため、クロストークが抑制される。【００５８】
このとき前記他の再生光Ｌｐ２は、反射ミラー４２の周囲、具体的には前記ステージ４１に照射されることになるが、前記ステージ４１は上記のように非反射面（光吸収部材または光透過部材）で形成されている。このため、前記他の再生光Ｌｐ２は前記ステージ４１で吸収されるか、または透過してしまうため、前記受光部材４３で受光されることがない。つまりは、前記受光部材４３では、前記任意の記録位置（ブック）による所望の再生光Ｌｐ１だけを受光し、その他不用な他の再生光Ｌｐ２はステージ４１の非反射面で遮断することが可能である。よって、微小面積からなる反射ミラー４２およびステージ４１の非反射面がピンホールフィルタとしての機能を果たすため、ピンホールフィルタを用いなくともいわゆるクロストークの発生を抑えることができる。【００５９】
上記実施の形態では、反射ミラー４２が非反射面を有するステージ４１上に固定されている場合として説明したが、本発明はこれに限られるものではない。すなわち、前記ステージを複数の再生光Ｌｐを一度に受光できる受光素子で形成し、その中心に反射ミラー４２を設け、且つ台座４７をアクチュエータで形成する構成としてもよい。なお、この場合には前記ミラーアクチュエータ３０を不要とすることが可能となる。【００６０】
このようにすると、前記受光素子は一度に複数の再生光Ｌｐを受光することが可能となる。そして、これら複数の再生光Ｌｐを元に、演算部（図示せず）で反射ミラー４２で反射させるべき再生光Ｌｐを抽出するとともに、その情報をフィードバック信号として出力する。その後、前記フィードバック信号に基づき、前記反射ミラー４２および受光素子を駆動するアクチュエータが適宜駆動することにより、複数の再生光Ｌｐの中から受光部材４３に向けて出力させるべき所望の再生光Ｌｐのみを反射ミラー４２で受光部材４３側に反射することが可能となる。よって、この場合においてもいわゆるクロストークの発生を抑えることが可能となる。【００６１】
上記実施の形態では、前記反射ミラー４２を、台座４７の斜面に対して４５度となるように固定し、第２の光軸Ｄ２が第１の光軸Ｄ１に対して垂直に交叉する場合について説明したが、本発明はこれに限られるものではない。すなわち、必ずしも第１の光軸Ｄ１と第２の光軸Ｄ２とが垂直に交叉する必要はなく、その他の角度で交叉するものであってもよい。ただし、上記のように第１の光軸Ｄ１と第２の光軸Ｄ２とが垂直に交叉する場合には、前記第２の光軸Ｄ２を光記録媒体Ｍの表面Ｍ１に対し平行とすることができるため、ホログラム装置の薄型化がしすくなる点で好ましい。
【図面の簡単な説明】
【００６２】
【図１】本発明のホログラム装置を構成するピックアップを示す分解斜視図、
【図２】受光装置の構成を概念的に示す概略構成図、
【図３】光記録媒体に対する参照光と再生光との関係を示す概念図、
【符号の説明】
【００６３】
１  ホログラム装置
１０  ピックアップ
１１  可動ベース
１２  開口部
２０  発光装置
２１  発光部
２３  コリメートレンズ
３０  ミラーアクチュエータ
３１  ミラー
３２  駆動部
４０  受光装置
４１  ステージ
４２  反射ミラー
４３  受光部材
４４  ハウジング
４５  開口窓
４６  透明カバー
４７  台座
Ｌｒ  参照光
Ｌｐ  再生光
Ｌｐ１  所望の再生光
Ｌｐ２  他の再生光
Ｍ  光記録媒体
【図１】
2007145186.tif 000003
【図２】
2007145186.tif 000004
【図３】
2007145186.tif 000005
【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
光記録媒体に参照光を与える発光部と、前記参照光を平行な光に変換するレンズと、前記参照光が照射された光記録媒体から出力される再生光を受光して電気信号に変換する受光装置と、を備えたホログラム装置であって、
前記受光装置が、前記再生光を反射してその光軸を第２の光軸に向ける反射ミラーと、前記第２の光軸上に設けられて受光面の向きが前記第２の光軸と垂直に設置された受光部材と、前記反射ミラーの傾き角度を変えるアクチュエータとを有していることを特徴とするホログラム装置。
【請求項２】
前記再生光を受光できる位置にあって前記アクチュエータによって前記反射ミラーと共に傾き角度が変わる受光素子が設けられており、前記受光素子の受光信号に基づいて前記アクチュエータが駆動される請求項１記載のホログラム装置。
【請求項３】
前記受光素子は、前記アクチュエータで駆動されるステージに設けられ、前記反射ミラーが前記受光素子の中心に設けられている請求項２記載のホログラム装置。
【請求項４】
前記光軸と前記第２の光軸とが垂直である請求項１ないし３のいずれかに記載のホログラム装置。
【請求項５】
前記再生光は、その直径が前記光記録媒体から遠ざかるにしたがって徐々に細められ、前記直径が最も細くなるビームウエストを過ぎると徐々に拡大されるものであり、
前記反射ミラーは、その反射面積が前記ビームウエストと同じ面積またはそれよりもわずかに大きな面積である請求項１ないし４のいずれかに記載のホログラム装置。
【請求項６】
前記再生光は、その直径が前記光記録媒体から遠ざかるにしたがって徐々に細められ、前記直径が最も細くなるビームウエストを過ぎると徐々に拡大されるものであり、
前記反射ミラーは、前記ビームウエストまたはその近傍に設けられている請求項１ないし４のいずれかに記載のホログラム装置。
【請求項７】
前記反射ミラーと前記受光部材とが１つのハウジングの中に収納されている請求項１ないし６のいずれかに記載のホログラム装置。
【請求項８】
前記ハウジングには、前記光記録媒体から出力された再生光を前記反射ミラーへと導く開口窓が形成されており、この開口窓には光を透過させるカバーが設けられている請求項７記載のホログラム装置。
【手続補正２】
【補正対象書類名】明細書
【補正対象項目名】００１２
【補正方法】変更
【補正の内容】
【００１２】
本発明は、光記録媒体に参照光を与える発光部と、前記参照光を平行な光に変換するレンズと、前記参照光が照射された光記録媒体から出力される再生光を受光して電気信号に変換する受光装置と、を備えたホログラム装置であって、
前記受光装置が、前記再生光を反射してその光軸を第２の光軸に向ける反射ミラーと、前記第２の光軸上に設けられて受光面の向きが前記第２の光軸と垂直に設置された受光部材と、前記反射ミラーの傾き角度を変えるアクチュエータとを有していることを特徴とするものである。
具体的には、前記光軸と前記第２の光軸とが垂直であるものが好ましい。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】変更
【補正の内容】
【００１８】
また前記反射ミラーと前記受光部材とが１つのハウジングの中に収納されているものが好ましい。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】変更
【補正の内容】
【００２２】
以上のように本発明は、再生光を任意の記録位置に向けることが可能となる。また角度多重方式で記録されたホログラムの再生も可能となる。また、前記受光素子で、複数の再生光の中から受光装置側で必要とする再生光のみを選択して受光することができる。
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２８
【補正方法】変更
【補正の内容】
【００２８】
図１は本発明の基本構成である参考例のホログラム装置を構成するピックアップを示す分解斜視図、図２は受光装置の構成を概念的に示す概略構成図、図３は光記録媒体に対する参照光と再生光との関係を示す概念図である。
【手続補正１１】
【補正対象書類名】明細書
【補正対象項目名】００３０
【補正方法】変更
【補正の内容】
【００３０】
以下に説明する光記録媒体Ｍは、いわゆる反射型の光記録媒体であり、干渉縞を記録することが可能な記録層の下部に反射層を有する構成であるが、反射層を有しない透過型の光記録媒体であってもよい。なお、前記記録層内には多数のデータ情報を示すホログラムが、干渉縞（市松模様状の２次元的なドットパターン）として記録角度を変えた状態で多重に記録される。
【手続補正１２】
【補正対象書類名】明細書
【補正対象項目名】００４４
【補正方法】変更
【補正の内容】
【００４４】
前記反射ミラー４２は前記ビームウエストＢＷとなる位置又はその近傍に、傾斜角度が４５度となるように固定されている。また前記反射ミラー４２は微小な面積で形成されている。すなわち、前記反射ミラー４２は、前記ビームウエストＢＷの直径と同じ面積またはそれよりもわずかに大きな面積で形成されている。前記反射ミラー４２の大きさ及び形状は、例えば直径２５０μｍ程度の円形、または一辺が２５０μｍ程度の正方形などであるが、これらに限定されるものではない。
【手続補正１３】
【補正対象書類名】明細書
【補正対象項目名】００４６
【補正方法】変更
【補正の内容】
【００４６】
このように、この参考例は前記受光部材４３の配置を、前記第１の光軸Ｄ１に対し垂直となる位置ではなく、前記光記録媒体Ｍの表面（すなわち、第２の光軸Ｄ２）に対し垂直となる位置に設けた構成である。このため、前記ビームウエストＢＷと前記受光部材４３との間の光路長Ｗを、光記録媒体Ｍの厚み方向ではなく、光記録媒体Ｍに対し平行となる方向に設けることができる。よって、ピックアップ１０が、厚み方向（Ｚ方向）に厚くなることを防止できる。
【手続補正１４】
【補正対象書類名】明細書
【補正対象項目名】００４８
【補正方法】変更
【補正の内容】
【００４８】
しかし、参考例では、上記のように前記光路長Ｗを厚み方向（Ｚ方向）ではなく、厚み方向と直交する幅方向（Ｘ方向）に形成される構成としたため、ピックアップ１０の厚み方向の寸法が厚くなることをより効果的に防止できる。
【手続補正１５】
【補正対象書類名】明細書
【補正対象項目名】００４９
【補正方法】変更
【補正の内容】
【００４９】
また、開口数ＮＡが小さいレンズを使用するため、光記録媒体ＭからビームウエストＢＷまでの距離も延びることになる。このため、光記録媒体Ｍと前記ハウジング４４の下面４４ａとの間隔を従来よりも長めに設定する必要が生じる。よって、前記ピックアップ１０を構成する前記ハウジング４４の位置を、従来よりも光記録媒体Ｍから遠い位置に配置することとなる。この場合の前記間隔は、およそ２００μｍ程度となるが、従来の開口数ＮＡの大きいレンズを使用した場合の間隔（１００μｍ程度）と比較して十分大きい。このため、前記ピックアップ１０、特にハウジング４４の下面４４ａと前記光記録媒体Ｍとの衝突が起きにくくなる。なお前記間隔（２００μｍ）は、ホログラム装置全体のサイズから見れば極めて小さく、装置全体の高さ寸法に与える影響は殆ど無視できる程度である。
【手続補正１６】
【補正対象書類名】明細書
【補正対象項目名】００５７
【補正方法】変更
【補正の内容】
【００５７】
しかし、前記反射ミラー４２が前記ビームウェストＢＷとほぼ同一の微小な面積で形成されているため、前記反射ミラー４２は入射される再生光Ｌｐ１またはＬｐ２のどちらか一方しか反射しない。このため、前記反射ミラー４２によって反射する再生光は、いずれか一の再生光Ｌｐ、すなわち前記任意の記録位置（ブック）による所望の再生光（図２では再生光Ｌｐ１）に制限されるため、クロストークが抑制される。
【手続補正１７】
【補正対象書類名】明細書
【補正対象項目名】００５９
【補正方法】変更
【補正の内容】
【００５９】
上記参考例では、反射ミラー４２が非反射面を有するステージ４１上に固定されている場合として説明したが、前記ステージを複数の再生光Ｌｐを一度に受光できる受光素子で形成し、その中心に反射ミラー４２を設け、且つ台座４７をアクチュエータで形成する構成としてもよい。なお、この場合には前記ミラーアクチュエータ３０を不要とすることが可能となる。
【手続補正１８】
【補正対象書類名】明細書
【補正対象項目名】００６２
【補正方法】変更
【補正の内容】
【００６２】
【図１】本発明の基本構成である参考例のホログラム装置を構成するピックアップを示す分解斜視図、
【図２】受光装置の構成を概念的に示す概略構成図、
【図３】光記録媒体に対する参照光と再生光との関係を示す概念図、
【国際調査報告】
2007145186.tif 000006
2007145186.tif 000007
2007145186.tif 000008
2007145186.tif 000009